(57)【要約】【課題】作業工数を費やすことなく簡単に取り付け作業を行うことが出来る空気調和機の室外ユニットを提供すること。【解決手段】本発明は、圧縮機と送風機とを内部に備えた空気調和機の室外ユニットであって、圧縮機の前側に取り外し可能な圧縮機室部前板と、送風機の前側に吹き出し口部前板と、室外ユニットの側部を構成する側板とを備え、吹き出し口部前板および側板と、圧縮機室部前板とは、圧縮機室部前板の両端部でそれぞれ係合し、吹き出し口部前板と圧縮機室部前板との係合箇所と、側板と圧縮機室部前板との係合箇所とにおいて、略Ｕ字形状の折り返し部と略Ｌ字形状の折り曲げ部とによって係合し、略Ｕ字形状の折り返し部にＬ字形状の折り曲げ部を挿入した際に、略Ｕ字形状の折り返し部で圧縮機室部前板が落下しないようにＬ字形状の折り曲げ部を保持するように構成した。【選択図】図２
2012237528.tif 000002
【特許請求の範囲】
【請求項１】
圧縮機と送風機とを内部に備えた空気調和機の室外ユニットであって、前記圧縮機の前側に取り外し可能な圧縮機室部前板と、前記送風機の前側に吹き出し口部前板と、前記室外ユニットの側部を構成する側板とを備え、前記吹き出し口部前板および前記側板と、前記圧縮機室部前板とは、前記圧縮機室部前板の両端部でそれぞれ係合し、前記吹き出し口部前板と前記圧縮機室部前板との係合箇所と、前記側板と前記圧縮機室部前板との係合箇所とにおいて、略Ｕ字形状の折り返し部と略Ｌ字形状の折り曲げ部とによって係合し、前記略Ｕ字形状の折り返し部に前記Ｌ字形状の折り曲げ部を挿入した際に、前記略Ｕ字形状の折り返し部で前記圧縮機室部前板が落下しないように前記Ｌ字形状の折り曲げ部を保持するように構成したことを特徴とする空気調和機の室外ユニット。
【請求項２】
前記圧縮機室部前板と前記吹き出し口部前板との係合箇所において、前記圧縮機室部前板の端部に略Ｕ字形状の折り返し部を設け、前記吹き出し口部前板の端部に略Ｌ字形状の折り曲げ部を設け、かつ、前記圧縮機室部前板と前記側板との係合箇所において、前記圧縮機室部前板の端部に略Ｌ字形状の折り返し部を設け、前記側板の端部に略Ｕ字形状の折り曲げ部を設けたことを特徴とする請求項１に記載の空気調和機の室外ユニット。
【発明の詳細な説明】
【技術分野】
【０００１】
本発明は、空気調和機の室外ユニットに関する。
【背景技術】
【０００２】
一般的に、大能力タイプのルームエアコンの室外ユニットの設置時やメンテナンス時には、圧縮機室の前を覆う前板を取り外して作業を行う必要がある。
【０００３】
図５は、従来の空気調和機の室外ユニットの部分展開斜視図である。図５において、圧縮機室の前を覆う前板は、係止爪１１０を有しており、それに対向する係合孔１１１に挿入してネジ１０３ｄで固定する構成となっている（例えば、特許文献１参照）。
【先行技術文献】
【特許文献】
【０００４】
【特許文献１】特開平６−１２３４４６号公報
【発明の概要】
【発明が解決しようとする課題】
【０００５】
しかしながら、前記従来の構成では、前板が重量物であり、またＬ字形状となっているため、前側と側面側でヒネリが生じてしまうため、上下に設けられた係止爪１１０を同時に挿入しづらいという課題を有していた。
【０００６】
本発明は、前記従来の課題を解決するもので、作業工数を費やすことなく簡単に取り付け作業を行うことが出来る空気調和機の室外ユニットを提供することを目的とする。
【課題を解決するための手段】
【０００７】
前記従来の課題を解決するために本発明は、圧縮機と送風機とを内部に備えた空気調和機の室外ユニットであって、圧縮機の前側に取り外し可能な圧縮機室部前板と、送風機の前側に吹き出し口部前板と、室外ユニットの側部を構成する側板とを備え、吹き出し口部前板および側板と、圧縮機室部前板とは、圧縮機室部前板の両端部でそれぞれ係合し、吹き出し口部前板と圧縮機室部前板との係合箇所と、側板と圧縮機室部前板との係合箇所とにおいて、略Ｕ字形状の折り返し部と略Ｌ字形状の折り曲げ部とによって係合し、略Ｕ字形状の折り返し部にＬ字形状の折り曲げ部を挿入した際に、略Ｕ字形状の折り返し部で圧縮機室部前板が落下しないようにＬ字形状の折り曲げ部を保持するように構成したことにより、簡単な作業で圧縮機室部前板を仮止めすることができる。
【発明の効果】
【０００８】
本発明は、作業工数を費やすことなく簡単に取り付け作業を行うことが出来る空気調和機の室外ユニットを提供することができる。
【図面の簡単な説明】
【０００９】
【図１】本発明の実施の形態１における空気調和機の室外ユニットの斜視図
【図２】同実施の形態１における空気調和機の室外ユニットの要部斜視図
【図３】同実施の形態１における空気調和機の室外ユニットの部分断面図
【図４】同実施の形態１における空気調和機の室外ユニットの部分断面図
【図５】従来の空気調和機の室外ユニットの部分展開斜視図
【発明を実施するための形態】
【００１０】
第１の発明の空気調和機の室外ユニットは、圧縮機と送風機とを内部に備えた空気調和機の室外ユニットであって、圧縮機の前側に取り外し可能な圧縮機室部前板と、送風機の前側に吹き出し口部前板と、室外ユニットの側部を構成する側板とを備え、吹き出し口部前板および側板と、圧縮機室部前板とは、圧縮機室部前板の両端部でそれぞれ係合し、吹き出し口部前板と圧縮機室部前板との係合箇所と、側板と圧縮機室部前板との係合箇所とにおいて、略Ｕ字形状の折り返し部と略Ｌ字形状の折り曲げ部とによって係合し、略Ｕ字形状の折り返し部にＬ字形状の折り曲げ部を挿入した際に、略Ｕ字形状の折り返し部で圧縮機室部前板が落下しないようにＬ字形状の折り曲げ部を保持するように構成したことにより、簡単な作業で圧縮機室部前板を仮止めすることができる。
【００１１】
第２の発明の空気調和機の室外ユニットは、特に第１の発明において、圧縮機室部前板と吹き出し口部前板との係合箇所において、圧縮機室部前板の端部に略Ｕ字形状の折り返し部を設け、吹き出し口部前板の端部に略Ｌ字形状の折り曲げ部を設け、かつ、圧縮機室部前板と側板との係合箇所において、圧縮機室部前板の端部に略Ｌ字形状の折り返し部を設け、側板の端部に略Ｕ字形状の折り曲げ部を設けたことにより、吹き出し口部前板側と側板側とでＵ字形状とＬ字形状の異なる形状とすることによって、圧縮機室部前板を保持する力を分散することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の室外ユニットの外箱構成を示す分解斜視図で、図２は、同室外ユニットの圧縮機室部前板の取り付け部の構成を示す部分斜視図、図３は、同室外ユニットの圧縮機室部前板の取り付け部の構成を示す断面図である。
【００１４】
図１、図２、図３、において室外ユニット１の外箱１ａは、底部を形成するユニットベース２、天面部を覆う天板３、前面部を覆うとともに内蔵された送風機（図示せず）による風を吹き出す吹き出し口４を有する吹き出し口部前板５、圧縮機（図示せず）を内蔵する圧縮機室６や制御基板（図示せず）を収納する電装部品室７を覆う圧縮機室部前板８、右側面を覆う側板９から構成されている。なお、圧縮機室部前板８は、前面に位置する前面部８ａと、右側部８ｂとで断面略Ｌ字状に形成されている。
【００１５】
また、圧縮機室部前板８の左端部８ｃに略Ｕ字形状の折り返し部１０と右側部８ｂの端部に略Ｌ字形状の折り曲げ部１１が設けられ、吹き出し口部前板５および側板９のそれぞれの端部の略Ｕ字形状の折り返し部１０と略Ｌ字形状の折り曲げ部１１に対応する位置に係合部１２ａ、１２ｂが設けられている。
【００１６】
そして、圧縮機室部前板８の室外ユニット１への取り付けは、圧縮機室部前板８の吹き出し口部８ｃの略Ｕ字形状の折り返し部１０を吹き出し口部前板５と、右側部８ｂの端部の略Ｌ字形状の折り曲げ部１１を側板９にそれぞれ係合させる。
【００１７】
その後、圧縮機室部前板８を上方にスライドさせ、ネジ１３で圧縮機室部前板８の上端、下端を天板３及び、ユニットベース２にそれぞれ締結する。
【００１８】
そして、圧縮機室部前板８を上方にスライドする際に、係合部１２ａ、１２ｂが外れることがない程度の保持力を有するように、略Ｕ字形状の折り曲げ部の開口部を狭めている。
【００１９】
また、係合部１２ａ、１２ｂに穴がないため、係合部１２ａ、１２ｂから雨水が浸入する恐れもない。
【００２０】
また、図４は、略Ｕ字形状の変形例の要部断面図を示すものであり、略Ｕ字形状の折り返し部１０の先端を室外ユニット本体内側に折り曲げたもので、圧縮機室部前板８を取りつける際、折り返し部１０の開口部が広くなり、取り付け作業性が向上する。
【００２１】
以上のように、本実施の形態によれば、一人でも簡単に、しかも確実に圧縮機室部前板８の取り付けができるものである。また係合部１２ａ、１２ｂより雨水の浸入の恐れもない空気調和機を提供できる。
【００２２】
さらに、圧縮機室部前板８において、一方の端部に略Ｕ字形状の折り返し部を設け、他方の端部に略Ｌ字形状の折り曲げ部を設けているので、圧縮機室部前板８が落下しないように保持する力を、圧縮機室部前板８と側板９のそれぞれに分散させることができるため、さらに確実に保持することができる。
【産業上の利用可能性】
【００２３】
以上のように、本発明に係る空気調和機の室外機は、一人で確実に、しかも簡単に圧縮機室部前板の取り付け、取り外しができるのでサービス性がよく、さらに雨水の浸入の恐れもないので、設置時やサービス時に着脱を要する板金製の扉などを有する各種機械、装置にも適用できる。
【符号の説明】
【００２４】
１  室外ユニット
１ａ  外箱
３  天板
４  吹き出し口
５  吹き出し口部前板
６  圧縮機室
８  圧縮機室部前板
９  側板
１０  折り返し部
１１  折り曲げ部
【図１】
2012237528.tif 000003
【図２】
2012237528.tif 000004
【図３】
2012237528.tif 000005
【図４】
2012237528.tif 000006
【図５】
2012237528.tif 000007